(57)【要約】【課題】収納物の確認が容易で、すばやく納骨することができる墓用前机および墓を提供する。【解決手段】底板２１が、厚さ方向に貫通した下部開口２６を有している。側壁部材２２が、底板２１の上に設けられている。側壁部材２２は、下部開口２６の後方に設けられた後方壁部２８と、後方壁部２８の両端から前方に伸びて下部開口２６の両側方に、それぞれ下部開口２６の縁から所定の距離を開けて設けられた１対の側方壁部２９とを有している。側壁部材２２は、後方壁部２８および各側方壁部２９の内側に収納室３０を有している。蓋２３が、収納室３０の上方を被覆して、側壁部材２２の上部に開閉可能に設けられている。引出し２５が、収納室３０の内部で、底板２１により支持されて下部開口２６の上方に設けられている。引出し２５は、各側方壁部２９の間から収納室３０の外へスライド可能になっている。【選択図】図２
0003122304.tif 000002
【実用新案登録請求の範囲】
【請求項１】
前机本体と引出しとを有し、
前記前机本体は内部に収納室を有し、前記収納室に下部開口および側部開口を有し、前記収納室の内部に前記引出しを支持して前記側部開口から外へのスライドを案内する支持部を有し、
前記引出しは前記収納室の内部で前記支持部により支持されて前記下部開口の上方に配置されていることを、
特徴とする墓用前机。
【請求項２】
底板と側壁部材と蓋と引出しとを有し、
前記底板は厚さ方向に貫通した下部開口を有し、
前記側壁部材は後方壁部と１対の側方壁部とから成って内側に収納室を有し、前記後方壁部は前記下部開口の後方で前記底板の上に設けられ、各側方壁部は前記後方壁部に結合して互いに前記下部開口を挟むよう前記底板の上に設けられ、
前記蓋は前記収納室の上方を被覆して前記側壁部材の上部に開閉可能に設けられ、
前記引出しは前記収納室の内部で前記底板により支持されて前記下部開口の上方に配置され、各側方壁部の間から前記収納室の外へスライド可能であることを、
特徴とする墓用前机。
【請求項３】
前記側壁部材は上縁に軸受溝を有し、前記蓋は前記軸受溝により支持される軸材を有して前記軸材を中心に回転して上下方向に開閉可能に設けられ、前記側壁部材および前記蓋は前記軸材を中心に前記蓋を回転させて開いたとき互いに係合して前記蓋を開いた状態で維持する係合部を有することを、特徴とする請求項２記載の墓用前机。
【請求項４】
納骨堂と請求項１、２または３記載の墓用前机とを有し、
前記納骨堂は内部に納骨室を有し、前記納骨室の上部に納骨用開口を有し、
前記墓用前机は前記下部開口が前記納骨用開口に連通するよう前記納骨用開口の上に設けられていることを、
特徴とする墓。
【考案の詳細な説明】
【技術分野】
【０００１】
本考案は、墓用前机および墓に関する。
【背景技術】
【０００２】
従来の墓として、納骨室の上部に配置され、前面に開閉扉が設けられて箱体状に形成された納骨香炉台と、納骨香炉台の底部を形成する基台に設けられた開口部と、開口部を覆うよう基台に脱着自在に設けられ、納骨室と納骨香炉台とを連通する透孔が形成された中蓋とを有するものがある（例えば、特許文献１参照）。
【０００３】
【特許文献１】特開２００４−６８４２６号公報
【考案の開示】
【考案が解決しようとする課題】
【０００４】
しかしながら、特許文献１記載の墓では、納骨香炉台の内部に収納した線香等を確認するとき、開閉扉を開いて姿勢を低くしてその前方からのぞき込む必要があり、確認しにくいという課題があった。また、納骨室に納骨するとき、開閉扉を開け、納骨香炉台の内部に収納された線香等を取り出し、中蓋を取り外す、という三段階の動作が必要となり、納骨に時間がかかるという課題があった。
【０００５】
本考案は、このような課題に着目してなされたもので、収納物の確認が容易で、すばやく納骨することができる墓用前机および墓を提供することを目的とする。
【課題を解決するための手段】
【０００６】
上記目的を達成するために、第１の本考案に係る墓用前机は、前机本体と引出しとを有し、前記前机本体は内部に収納室を有し、前記収納室に下部開口および側部開口を有し、前記収納室の内部に前記引出しを支持して前記側部開口から外へのスライドを案内する支持部を有し、前記引出しは前記収納室の内部で前記支持部により支持されて前記下部開口の上方に配置されていることを、特徴とする。
【０００７】
第１の本考案に係る墓用前机は、好適には、納骨堂の納骨用開口の上に置いて使用される。このとき、引出しを側部開口から外へスライドして取り出し、側部開口、収納室および下部開口を通して納骨用開口から納骨堂の内部に骨壺を納骨することができる。このように、引出しを取り出すという一段階の動作だけで、すばやく納骨することができる。納骨後は、引出しを元に戻すことにより、外部から見て納骨用開口の開け方がわからない状態で納骨堂を塞ぐことができる。
【０００８】
引出しを側部開口から外へスライドすることにより、姿勢を低くしてのぞき込まなくとも、引出しに収納した線香等の収納物を容易に確認することができる。また、引出しを引き出したり戻したりする際に、下部開口を通して納骨堂の内部の空気を撹拌することができるので、納骨堂の内部の乾燥を図ることができる。
【０００９】
なお、第１の本考案に係る墓用前机は、石製が好ましいが、他の材質から成っていてもよい。前机本体の側面や上面、引出しの外側面に、家紋や模様が彫り込まれていてもよい。引出しは、収納室の内部で下部開口を塞ぐよう下部開口の上方に配置されていてもよく、下部開口と収納室の内部とを連通する隙間を開けて下部開口の上方に配置されていてもよい。引出しが下部開口と収納室の内部とを連通する隙間を開けて下部開口の上方に配置されている場合には、隙間を通して納骨堂の空気の流通を良くし、納骨堂の乾燥を図ることができる。
【００１０】
第２の本考案に係る墓用前机は、底板と側壁部材と蓋と引出しとを有し、前記底板は厚さ方向に貫通した下部開口を有し、前記側壁部材は後方壁部と１対の側方壁部とから成って内側に収納室を有し、前記後方壁部は前記下部開口の後方で前記底板の上に設けられ、各側方壁部は前記後方壁部に結合して互いに前記下部開口を挟むよう前記底板の上に設けられ、前記蓋は前記収納室の上方を被覆して前記側壁部材の上部に開閉可能に設けられ、前記引出しは前記収納室の内部で前記底板により支持されて前記下部開口の上方に配置され、各側方壁部の間から前記収納室の外へスライド可能であることを、特徴とする。
【００１１】
第２の本考案に係る墓用前机は、好適には、納骨堂の納骨用開口の上に置いて使用される。このとき、引出しを各側方壁部の間から収納室の外へスライドして取り出し、各側方壁部の間、収納室および下部開口を通して納骨用開口から納骨堂の内部に骨壺を納骨することができる。このように、引出しを取り出すという一段階の動作だけで、すばやく納骨することができる。なお、蓋を側壁部材から外すことにより、収納室の上方から容易に納骨することもできる。この場合にも、引出しの収納物を取り出す必要がないため、すばやい納骨が可能である。納骨後は、引出しや蓋を元に戻すことにより、外部から見て納骨用開口の開け方がわからない状態で納骨堂を塞ぐことができる。
【００１２】
引出しを各側方壁部の間から収納室の外へスライドすることにより、姿勢を低くしてのぞき込まなくとも、引出しに収納した線香等の収納物を容易に確認することができる。また、引出しを引き出したり戻したりする際に、下部開口を通して納骨堂の内部の空気を撹拌することができるので、納骨堂の内部の乾燥を図ることができる。
【００１３】
なお、第２の本考案に係る墓用前机は、石製が好ましいが、他の材質から成っていてもよい。側壁部材の外側面や蓋の上面、引出しの外側面に、家紋や模様が彫り込まれていてもよい。引出しが、収納室の内部で下部開口を塞ぐよう下部開口の上方に配置されていてもよく、下部開口と収納室の内部とを連通する隙間を開けて下部開口の上方に配置されていてもよい。引出しが下部開口と収納室の内部とを連通する隙間を開けて下部開口の上方に配置されている場合には、隙間を通して納骨堂の空気の流通を良くし、納骨堂の乾燥を図ることができる。
【００１４】
第２の本考案に係る墓用前机で、側壁部材の各側方壁部が、下部開口の縁から所定の距離を開けて設けられていることが好ましい。この場合、下部開口の縁から各側方壁部までの底板の表面により、引出しを支持することができる。また、蓋が、下面の方向に突出して側壁部材の外側に配置された縁部を周囲全体に有していてもよい。この場合、蓋の縁部により、蓋と側壁部材との隙間から収納室の内部に雨水などが入るのを防ぐことができる。
【００１５】
第２の本考案に係る墓用前机において、前記側壁部材は上縁に軸受溝を有し、前記蓋は前記軸受溝により支持される軸材を有して前記軸材を中心に回転して上下方向に開閉可能に設けられ、前記側壁部材および前記蓋は前記軸材を中心に前記蓋を回転させて開いたとき互いに係合して前記蓋を開いた状態で維持する係合部を有していてもよい。
この構成では、蓋を開けるとき、蓋を持ち上げて側壁部材の上部から取り外す必要がないため、蓋を落として割るのを防止することができる。また、蓋の前部を片手で持ち上げて、容易に開閉することができ、蓋を持ち上げる労力を軽減することもできる。蓋は、持ち上げて開いたとき、手で押えておかなくても、係合部で開いた状態で維持されるので、蓋が前に倒れて割れたり手を挟んだりするのを防ぐことができる。なお、蓋は、開いたとき、垂直または後側に傾斜した状態で係合部により維持されることが好ましい。
また、第２の本考案に係る墓用前机において、前記側壁部材は前記後方壁部に沿って上縁に軸受溝を有し、前記蓋は、下面の方向に突出して前記側壁部材の上縁を包囲可能な縁部を周囲全体に有し、前記収納室を閉じた状態で後部側の位置に両端が前記縁部の対向する位置に固定され前記軸受溝で支持される軸材を有し、前記軸材を中心として回転させて前部側を開閉可能に設けられ、前記後方壁部は前記軸材を中心として前記蓋の前部側を開いたとき後部側の前記縁部と係合する係合溝を有していてもよい。
この構成でも、蓋を開けるとき、蓋を持ち上げて側壁部材の上部から取り外す必要がないため、蓋を落として割るのを防止することができる。また、蓋の前部を片手で持ち上げて、容易に開閉することができ、蓋を持ち上げる労力を軽減することもできる。蓋は、持ち上げて開いたとき、手で押えておかなくても、縁部が係合溝で開いた状態で維持されるので、蓋が前に倒れて割れたり手を挟んだりするのを防ぐことができる。なお、蓋は、開いたとき、垂直または後側に傾斜した状態で縁部が係合溝と係合して維持されることが好ましい。また、縁部により、収納室の内部に雨が吹き込むのを防ぐことができる。後部側の縁部は、蓋を開いた状態に保つのにも役立つ。
【００１６】
本考案に係る墓は、納骨堂と第１または第２の本考案に係る墓用前机とを有し、前記納骨堂は内部に納骨室を有し、前記納骨室の上部に納骨用開口を有し、前記墓用前机は前記下部開口が前記納骨用開口に連通するよう前記納骨用開口の上に設けられていることを、特徴とする。
【００１７】
本考案に係る墓は、下部開口が納骨用開口に連通するよう、墓用前机が納骨用開口の上に設けられているため、墓用前机の引出しを外へスライドして取り出し、そこから収納室および下部開口を通して納骨用開口から納骨堂の内部に骨壺を納骨することができる。このように、引出しを取り出すという一段階の動作だけで、すばやく納骨することができる。納骨後は、引出しを元に戻すことにより、外部から見て納骨用開口の開け方がわからない状態で納骨堂を塞ぐことができる。
【考案の効果】
【００１８】
本考案によれば、収納物の確認が容易で、すばやく納骨することができる墓用前机および墓を提供することができる。
【考案を実施するための最良の形態】
【００１９】
以下、図面に基づき本考案の実施の形態について説明する。
図１乃至図７は、本考案の実施の形態の墓用前机および墓を示している。
図１に示すように、墓１は、納骨堂２と墓用前机３とを有している。
【００２０】
なお、図１に示すように、墓１は、その他に、地表を覆う床材４と、床材４の上に載せられた下台５と、下台５の上の後ろ寄りに載せられた中台６と、中台６の上に載せられた上台７と、上台７の上に立てられた棹８とを有している。これらの墓１の構成部材は、すべて石材から成っている。
【００２１】
図１に示すように、納骨堂２は、床材４の下の地中で函形に形成され、側壁１１と底部１２とを有している。納骨堂２は、側壁１１と底部１２と床材４とで取り囲まれた内側に納骨室１３を有し、納骨室１３の上部の床材４および下台５に納骨用開口１４を有している。納骨用開口１４は、矩形状で、床材４および下台５を厚さ方向に貫通して、中台６の前の下台５の上面に設けられている。納骨用開口１４は、骨壺を両手で持って納骨室１３に収容することができる程度の大きさに形成されている。
【００２２】
図２に示すように、墓用前机３は、底板２１と側壁部材２２と蓋２３と側部開口２４と引出し２５とを有している。底板２１と側壁部材２２と蓋２３は、前机本体を構成している。図２および図３に示すように、底板２１は、所定の厚みを有し、矩形状の外形を成している。底板２１は、中央に、厚さ方向に貫通した矩形状の下部開口２６を有している。底板２１は、前側面および両端面に、厚さ方向の中心付近に各面の一端から他端まで形成された半円状断面の溝２７を有している。
【００２３】
図４に示すように、側壁部材２２は、コの字型の平面形状を成し、矩形状の後方壁部２８と、後方壁部２８の両端にそれぞれ結合し、後方壁部２８の一方の面に対して垂直に伸びて設けられた１対の側方壁部２９とを有している。側壁部材２２は、後方壁部２８の長さが底板２１の長さよりやや短く形成され、後方壁部２８の外面２８ａから各側方壁部２９の先端面２９ａまでの距離が底板２１の幅と同じ長さに形成されている。後方壁部２８および各側方壁部２９は、同じ高さを有し、上端および下端がそれぞれ同じ平面上になるよう形成されている。後方壁部２８は、上端の外面２８ａの側が内面２８ｂの側より段差をなして低くなり、内面２８ｂの側に段部２８ｃを有している。墓用前机３は、後方壁部２８により背面が平坦になっている。
【００２４】
図２に示すように、側壁部材２２は、各側方壁部２９が底板２１の幅方向に沿って配置されるよう、底板２１の上に設けられている。側壁部材２２は、下部開口２６の後方に下部開口２６の縁から所定の距離を開けて後方壁部２８が配置されている。また、側壁部材２２は、互いに下部開口２６を挟むよう、下部開口２６の両側方に下部開口２６の縁から所定の距離を開けて各側方壁部２９が配置されている。側壁部材２２は、底板２１の後側面と同一平面上に後方壁部２８の外面２８ａが位置し、底板２１の前側面と同一平面上に各側方壁部２９の先端面２９ａが位置するよう設けられている。側壁部材２２は、後方壁部２８および各側方壁部２９の内側に収納室３０を有している。なお、側壁部材２２と底板２１との境界部は、収納室３０の内部に雨水が入り込まないよう、シリコン樹脂系のコーキング材により目地詰めして気密的に塞がれている。
【００２５】
図２に示すように、蓋２３は、矩形の平板状を成している。蓋２３は、下面２３ａの方向に突出する縁部３１を周囲全体に有している。蓋２３は、上面２３ｂの両端付近に、幅方向に沿って設けられた１対の突出部３２を有している。また、蓋２３は、上面２３ｂの前縁および両端縁が面取りされている。蓋２３は、収納室３０の上方を被覆して、側壁部材２２の上部に開閉可能に設けられている。蓋２３は、縁部３１が側壁部材２２の外側に配置され、後方側の縁部３１が後方壁部２８の段部２８ｃと係合するよう、側壁部材２２の上部に載せられている。蓋２３は、前方側の縁部３１の下面に、長さ方向に沿って設けられた水切り溝３３を有している。
【００２６】
図２に示すように、側部開口２４は、墓用前机３の正面側に、底板２１、各側壁部材２２および蓋２３で取り囲まれて矩形状に形成されている。
【００２７】
図５に示すように、引出し２５は、矩形状の底部板３４と、底部板３４の三方の側縁に沿って底板２１の同じ側に立ち上がるよう設けられた周壁板３５と、底部板３４の他の一方の側縁に取り付けられた正面板３６とを有している。底部板３４は、収納室３０の底面より小さく、下部開口２６より大きく形成されている。周壁板３５は、収納室３０の高さより低く形成されている。正面板３６は、長さが収納室３０の間口より長く形成されている。また、正面板３６は、幅が周壁板３５の高さより長く形成されている。正面板３６は、正面が凸状に湾曲した曲面を成している。正面板３６は、上端が周壁板３５の上端よりやや高く、下端が底部板３４の下面より低くなるよう取り付けられている。
【００２８】
図２に示すように、引出し２５は、正面板３６が前方になるよう、側部開口２４から収納室３０の内部に挿入されている。引出し２５は、収納室３０の内部で、下部開口２６の縁から各側方壁部２９までの底板２１の表面により支持されて、下部開口２６の上方に設けられている。引出し２５は、正面板３６により、側部開口２４をほぼ塞いでいる。引出し２５は、側部開口２４から収納室３０の外へスライド可能になっている。
【００２９】
図１に示すように、墓用前机３は、下部開口２６が納骨用開口１４に連通するよう、中台６の前の下台５の上で、納骨用開口１４の上に設けられている。
【００３０】
次に、作用について説明する。
墓１は、下部開口２６が納骨用開口１４に連通するよう、墓用前机３が納骨用開口１４の上に設けられているため、墓用前机３の引出し２５を側部開口２４から収納室３０の外へスライドして取り出し、側部開口２４、収納室３０および下部開口２６を通して納骨用開口１４から納骨堂２の内部の納骨室１３に骨壺を納骨することができる。このように、引出し２５を取り出すという一段階の動作だけで、すばやく納骨することができる。なお、蓋２３を側壁部材２２から外すことにより、収納室３０の上方から容易に納骨することもできる。この場合にも、引出し２５の収納物を取り出す必要がないため、すばやい納骨が可能である。納骨後は、引出し２５や蓋２３を元に戻すことにより、外部から見て納骨用開口１４の開け方がわからない状態で納骨堂２を塞ぐことができる。
【００３１】
引出し２５を側部開口２４から収納室３０の外へスライドすることにより、姿勢を低くしてのぞき込まなくとも、引出し２５に収納した線香等の収納物を容易に確認することができる。蓋２３の縁部３１により、蓋２３と側壁部材２２との隙間から収納室３０の内部に雨水などが入るのを防ぐことができる。
【００３２】
なお、図６に示すように、墓用前机３は開口用蓋５１を有し、底板２１は下部開口２６の両端の縁に沿って、下部開口２６の側が表面より段差をなして低く形成されて、表面に平行な１対の載置面５２を有し、開口用蓋５１は各載置面５２に支持されて下部開口２６を開閉可能に塞いでいてもよい。開口用蓋５１は、矩形板状で、下部開口２６の幅よりやや短い幅を有し、下部開口２６の長さよりやや長い長さを有している。この開口用蓋５１を有する場合、引出し２５を側部開口２４から取り出したときでも、下部開口２６が開口用蓋５１で塞がれているため、ゴミや塵埃、雨水などが納骨室１３に入るのを防ぐことができる。なお、開口用蓋５１は、取り外しやすいように、厚さ方向に貫通した指孔５３を有していてもよい。
【００３３】
また、墓用前机３は、図７に示すように構成されていてもよい。この構成では、後方壁部２８は、上縁にその長さ方向に沿って横断する軸受溝６１を有し、外面２８ａの側の上部に長さ方向に沿って設けられた係合溝６２を有している。蓋２３は、下部に両側方の縁部３１の対向する位置に架け渡して固定され軸受溝６１で支持される軸材６３を有している。軸材６３の材質は、ステンレスが好ましい。軸材６３は、蓋２３が収納室３０を閉じた状態で蓋２３の後部側の位置に設けられている。蓋２３は、軸材６３を中心として回転させて前部側を開閉可能に設けられている。図７（ｂ）に示すように、墓用前机３は、軸材６３を中心として蓋２３の前部側を開いたとき、後方側の縁部３１が係合溝６２に係合するようになっている。後部側の縁部３１を係合溝６２に係合させることにより、蓋２３を開いた状態で維持することができる。
【００３４】
この構成では、蓋２３を開けるとき、蓋２３を持ち上げて側壁部材２２の上部から取り外す必要がないため、蓋２３を落として割るのを防止することができる。また、蓋２３の前部を片手で持ち上げて、容易に開閉することができ、蓋２３を持ち上げる労力を軽減することもできる。蓋２３は、持ち上げて開いたとき、手で押えておかなくても、縁部３１が係合溝６２で開いた状態で維持されるので、蓋２３が前に倒れて割れたり手を挟んだりするのを防ぐことができる。なお、蓋２３は、開いたとき、垂直または後側に傾斜した状態で縁部３１が係合溝６２と係合して維持される。
【図面の簡単な説明】
【００３５】
【図１】本考案の実施の形態の墓を示す一部を断面表示した側面図である。
【図２】本考案の実施の形態の墓用前机を示す（ａ）正面図、（ｂ）右側面図、（ｃ）横断面図である。
【図３】図２に示す墓用前机の底板を示す平面図である。
【図４】図２に示す墓用前机の側壁部材を示す（ａ）平面図、（ｂ）右側面図である。
【図５】図２に示す墓用前机の引出しを示す（ａ）平面図、（ｂ）右側面図である。
【図６】図２に示す墓用前机の第１の変形例を示す（ａ）横断面図、（ｂ）底板の平面図、（ｃ）開口用蓋の平面図である。
【図７】図２に示す墓用前机の第２の変形例を示す（ａ）蓋を閉めた状態の右側面図、（ｂ）蓋を開いた状態の右側面図である。
【符号の説明】
【００３６】
１    墓
２    納骨堂
３    墓用前机
２１  底板
２２  側壁部材
２３  蓋
２４  側部開口
２５  引出し
２６  下部開口
３０  収納室
【図１】
0003122304.tif 000003
【図２】
0003122304.tif 000004
【図３】
0003122304.tif 000005
【図４】
0003122304.tif 000006
【図５】
0003122304.tif 000007
【図６】
0003122304.tif 000008
【図７】
0003122304.tif 000009